(57)【要約】      （修正有）【課題】性能不良のない回路基板を得ることができるピンコネクタ圧入治具装置を提供する。【解決手段】ピンコネクタ圧入治具装置１１は、回路基板１８上に設けられる複数のスルーホール１８ａに複数のピン１９が差し込まれるピンコネクタ１５と、当該ピンコネクタ１５の上方から加圧して、ピンコネクタ本体１６に取付けられる複数のピン１９を回路基板１８のスルーホール１８ａに圧入するピンコネクタ圧入治具１２を具備する。ピンコネクタ圧入治具１２は、上面が平坦な背壁部１２ｂおよび側壁部１２ｂと、この側壁部１２ｂの相対向する側にそれぞれ縦方向にほぼ等間隔に形成される複数のピンガイド溝部１２ｂ１とを備え、ピンコネクタ１５がピンコネクタ圧入治具１２により加圧されることにより、複数のピン１９の向きが複数のピンガイド溝部１２ｂ１の溝方向に沿って矯正されつつ複数のピンが回路基板１８のスルーホール１８ａに圧入されるようにする。【選択図】図１
2008103445.tif 000002
【特許請求の範囲】
【請求項１】
回路基板上に設けられる複数のスルーホールに複数のピンが差し込まれるピンコネクタと、当該ピンコネクタの上方から加圧して前記複数のピンを前記回路基板のスルーホールに圧入するピンコネクタ圧入治具を具備し、
前記ピンコネクタは、背壁部および側壁部を備えたピンコネクタ本体と、このピンコネクタ本体の前記側壁部の相対向する内側面のそれぞれに縦方向にほぼ等間隔に取付けられる複数のピンとを備え、
前記ピンコネクタ圧入治具は、上面が平坦な背壁部および側壁部と、この側壁部の相対向する側にそれぞれ縦方向にほぼ等間隔に形成される複数のピンガイド溝部とを備え、
前記ピンコネクタが前記ピンコネクタ圧入治具により加圧されることにより、前記複数のピンの向きが前記複数のピンガイド溝部の溝方向に沿って矯正されつつ前記複数のピンが回路基板のスルーホールに圧入されるようにしたことを特徴とするピンコネクタ圧入治具装置。
【請求項２】
前記ピンコネクタのピンコネクタ本体には、その背壁裏面上にリード線接続具が備えられ、
ピンコネクタ圧入治具により、前記ピンコネクタのピンが回路基板側へ圧入される際に、前記ピンコネクタ圧入治具の背壁裏面にて、前記リード線接続具を介して前記ピンコネクタ本体が間接的に加圧されるようにしたことを特徴とする請求項１記載のピンコネクタ圧入治具装置。
【請求項３】
前記コネクタ圧入治具の側壁部により、前記ピンコネクタの側壁部が押圧されることにより、前記ピンコネクタの複数のピンが回路基板のスルーホールに圧入されるようにしたことを特徴とする請求項１記載のピンコネクタ圧入治具装置。
【請求項４】
ピンコネクタを回路基板のスルーホールに圧入し得るように設けられるピンコネクタ圧入治具を備えたピンコネクタ圧入治具装置と、当該ピンコネクタ圧入治具装置を取扱うピンコネクタ圧入治具加圧装置とを具備し、
前記ピンコネクタ圧入治具装置のピンコネクタ圧入治具は、上面が平坦な背壁部と、この背壁部の両側から起立させて設けられた側壁部と、この両側壁部のそれぞれ外側面に縦方向に形成された複数のピンガイド溝部とを備え、
前記ピンコネクタ圧入治具加圧装置は、ピンコネクタ圧入治具装置設置床面上に設けられ、前記回路基板を保持する天板装置と、前記天板装置の上方位置にあって、前記天板装置側へスライド可能に設けられる加圧部と、当該加圧部の下端に設けられ、前記ピンコネクタ圧入治具が取付けられる治具保持用チャックとを備え、
前記ピンコネクタが前記ピンコネクタ圧入治具により押圧されることにより、前記ピンコネクタ圧入治具に設けた前記複数のピンガイド溝部が前記複数のピンの向きを前記複数のピンガイド溝部の溝方向に沿って矯正されるようにしたことを特徴とするピンコネクタ圧入治具装置を取扱うピンコネクタ圧入治具取扱装置。
【請求項５】
前記加圧部は、天板装置にセットされる回路基板上のピンコネクタの向きに合わせて軸周り回動可能に設けられたことを特徴とする請求項４記載のピンコネクタ圧入治具装置を取扱うピンコネクタ圧入治具取扱装置。
【請求項６】
前記加圧部の下端に設けられる治具保持用チャックは、ピンコネクタ圧入治具の大きさに合わせてチャックの大きさを可変可能に構成したことを特徴とする請求項４記載のピンコネクタ圧入治具装置を取扱うピンコネクタ圧入治具取扱装置。
【発明の詳細な説明】
【技術分野】
【０００１】
この発明は、電子部品を実装したマザーボード等の回路基板に電源側あるいは他の回路基板側と通電接続させるためのピンコネクタを回路基板側に取付けるピンコネクタ圧入治具装置および同装置を取扱うピンコネクタ圧入治具取扱装置に関する。
【背景技術】
【０００２】
従来、ピンコネクタを回路基板に実装するにあたって、ピンコネクタの複数のピンを回路基板側へ挿入し、ピンコネクタ本体の上部から均一に所定の加圧力を加えなければならなかった。そのため従来、均一に加圧力を付加するためおよび複数のピンの挿入を能率的にするために、ピンコネクタ圧入治具が用いられている。
【０００３】
このピンコネクタ圧入治具は、回路基板上に実装されるピンコネクタ個々に押圧力が加えられるように、ピンコネクタ本体の形状とほぼ同等形状のものが用いられ、また、このピンコネクタ圧入治具の上方から押圧力が加えるに適するプレス機を備えたピンコネクタ圧入治具取扱装置が実用化されている。（例えば、特許文献１参照）。
【０００４】
従来のピンコネクタ圧入治具装置および同装置を用いたピンコネクタ圧入治具取扱装置として、図６に示すように複数のピンコネクタ用のピンコネクタ圧入治具を用いると共に、このピンコネクタ圧入治具をプレス機により加圧するようにしたものがある。
【０００５】
図６は、ピンコネクタ圧入治具を用いてピンコネクタを回路基板に実装する仕組みを示すピンコネクタ圧入治具取扱装置の要部の分解斜視図である。ピンコネクタ圧入治具取扱装置１は、１枚の回路基板２上に複数のピンコネクタ３を実装するために、ピンコネクタ３のピン３ａを回路基板２上に設けられる複数のスルーホール４に圧入して取付けられる。回路基板２の下方側には、作業テーブル５が設けられ、この作業テーブル５の上面に回路基板２を載置するにあたって、回路基板２の裏面側のピンコネクタ３の取付け位置に対向して回路基板受け治具６が配置される。
【０００６】
一方、回路基板２の上方には、ピンコネクタ３の上面とほぼ同じ大きさで平坦な上面および下面を有する押圧治具７が、ピンコネクタ３の上面に上乗せするように配置され、更に押圧治具７の上面を押圧するプレス機８が設けられた構成になっている。ピンコネクタ圧入治具取扱装置１に用いられる押圧治具７は、ピンコネクタ３の上面に上乗せさせて、プレス機８のプレスラム８ａの中心に合わせて個別にプレスし、ピン３ａを複数のスルーホール４に圧入するようになっている。圧入が終了すると、プレス機８のプレスラム８ａを上昇させて、回路基板２を作業テーブル５側から外して実装作業が終了する。
【特許文献１】特開平１０−３２２０９８号公報
【発明の開示】
【発明が解決しようとする課題】
【０００７】
従来のピンコネクタ圧入治具取扱装置１に用いられる押圧治具７によれば、ピンコネクタ３の上面に対し、文鎮の原理と同様に下面全体に亘って均一に押圧力を付加するものの、ピンコネクタ３のピン３ａの長さが比較的長い場合には、多少とも歪んだ方向の力が作用すると、複数のピン３ａのそれぞれが真直に圧入されないで、一部のピン３ａが屈曲したり、捩れたりし、結果的に回路基板２として性能不良を起す虞があった。
【０００８】
またピンコネクタ圧入治具取扱装置１によれば、押圧治具７の上面に対して、プレス機８のプレスラム８ａが上方から所定の押圧力を掛ける際、このプレスラム８ａの押圧治具７に対する関係位置にずれが生じると、ピンコネクタ３の上面に対して均一な押圧力が付加されなく、特に、複数の押圧治具７を同時に用いた場合には、プレス機８による押圧力が掛かった際には、複数のピンコネクタ３に対して均等な押圧力が掛からない。従って、複数のピンコネクタ３の回路基板２に対する取付け状態にバラツキが生じ、結果的に回路基板２として性能不良を起す虞があった。
【０００９】
本発明は上記の事情に鑑みてなされたもので、ピンコネクタを回路基板に対して取付けるにあたって、ピンコネクタの一部のピンが屈曲したり、捩れたりする虞がなく、結果的に回路基板として性能不良を及ぼすことなく使用することのできるピンコネクタ圧入治具装置を提供することを目的とする。
【００１０】
また本発明の他の目的は、ピンコネクタを回路基板に対して取付けるにあたり、押圧治具を用いて作業を行うに際して、複数のピンコネクタの回路基板に対する取付け状態にバラツキが生じさせなく、結果的に回路基板として性能不良を及ぼすことのないピンコネクタ圧入治具装置を取扱うピンコネクタ圧入治具取扱装置を提供することを目的とする。
【課題を解決するための手段】
【００１１】
上記目的を達成するために、本発明によれば、回路基板上に設けられる複数のスルーホールに複数のピンが差し込まれるピンコネクタと、当該ピンコネクタの上方から加圧して前記複数のピンを前記回路基板のスルーホールに圧入するピンコネクタ圧入治具を具備し、前記ピンコネクタは、背壁部および側壁部を備えたピンコネクタ本体と、このピンコネクタ本体の前記側壁部の相対向する内側面のそれぞれに縦方向にほぼ等間隔に取付けられる複数のピンとを備え、前記ピンコネクタ圧入治具は、上面が平坦な背壁部および側壁部と、この側壁部の相対向する側にそれぞれ縦方向にほぼ等間隔に形成される複数のピンガイド溝部とを備え、前記ピンコネクタが前記ピンコネクタ圧入治具により加圧されることにより、前記複数のピンの向きが前記複数のピンガイド溝部の溝方向に沿って矯正されつつ前記複数のピンが回路基板のスルーホールに圧入されるようにしたことを特徴とするピンコネクタ圧入治具装置を提供する。
【００１２】
上記目的を達成するために、本発明によれば、ピンコネクタを回路基板のスルーホールに圧入し得るように設けられるピンコネクタ圧入治具を備えたピンコネクタ圧入治具装置と、当該ピンコネクタ圧入治具装置を取扱うピンコネクタ圧入治具加圧装置とを具備し、前記ピンコネクタ圧入治具装置のピンコネクタ圧入治具は、上面が平坦な背壁部と、この背壁部の両側から起立させて設けられた側壁部と、この両側壁部のそれぞれ外側面に縦方向に形成された複数のピンガイド溝部とを備え、前記ピンコネクタ圧入治具加圧装置は、ピンコネクタ圧入治具装置設置床面上に設けられ、前記回路基板を保持する天板装置と、前記天板装置の上方位置にあって、前記天板装置側へスライド可能に設けられる加圧部と、当該加圧部の下端に設けられ、前記ピンコネクタ圧入治具が取付けられる治具保持用チャックとを備え、前記ピンコネクタが前記ピンコネクタ圧入治具により押圧されることにより、前記ピンコネクタ圧入治具に設けた前記複数のピンガイド溝部が前記複数のピンの向きを前記複数のピンガイド溝部の溝方向に沿って矯正されるようにしたことを特徴とするピンコネクタ圧入治具装置を取扱うピンコネクタ圧入治具取扱装置を提供する。
【発明の効果】
【００１３】
本発明によれば、回路基板上にピンコネクタを取付けるにあたり、ピンコネクタのピンの長さが比較的長い場合にでも、一部のピンが屈曲したり、捩れたりすることがなく、結果的に性能不良のない回路基板を得ることができるピンコネクタ圧入治具装置を提供することができる。
【００１４】
また、本発明によれば、ピンコネクタの個々に対してピンコネクタ圧入治具が用いられる場合において、ピンコネクタ圧入治具をピンコネクタ圧入治具加圧装置を用いて取扱うようにしたから、複数のピンコネクタの回路基板に対する取付け状態にバラツキが生じることがなく、結果的に性能不良のない回路基板を得ることができるピンコネクタ圧入治具装置を取扱うピンコネクタ圧入治具取扱装置を提供することができる。
【発明を実施するための最良の形態】
【００１５】
本発明に係るピンコネクタ圧入治具の実施形態について、添付図面を参照して説明する。
【００１６】
図１は、本発明のピンコネクタ圧入治具装置の概要を示す斜視図である。図２は、本発明のピンコネクタ圧入治具装置のピンコネクタ圧入治具がピンコネクタ側に嵌め込まれた状態において一部を縦断して示す側面図である。図３は、図２のＡ−Ａ線に沿う断面図である。
【００１７】
図１に示すピンコネクタ圧入治具装置１１は、回路基板、例えばマザーボード１８上に設けられる複数のスルーホール１８ａに複数のピン１９が差し込まれるピンコネクタ１５と、当該ピンコネクタ１５の上方から加圧して複数のピン１９をマザーボード１８のスルーホール１８ａに圧入するコネクタ圧入治具１２とから構成される。
【００１８】
ピンコネクタ１５は、背壁部１６ａおよび側壁部１６ｂを備えたピンコネクタ本体１６と、このピンコネクタ本体１６の側壁部１６ｂの相対向する内側面のそれぞれに縦方向にほぼ等間隔に予め取付けられる複数のピン１９と、ピンコネクタ本体１６の両側壁部１６ｂと僅かの隙を介して背壁部１６ａ上に設置されるリード線接続具１７とを備えている。
【００１９】
複数のピン１９は、図１に示すように、マザーボード１８上の所定位置に設けられる複数のスルーホール１８ａに対して、真上から差し込まれるもので、図２および図３に示すように、マザーボード１８に予め形成された複数のスルーホール１８ａに圧入されるピン基部１９ａと、ピンコネクタ１５の背壁部１６ａに図示しない保持手段により保持される鈎部１９ｂと、コネクタ圧入治具１２がピンコネクタ１５側に嵌め入れた際に、コネクタ圧入治具１２のピンガイド溝部１２ｂ１に嵌り込む屈曲部１９ｃとを備えている。リード線接続具１７は、上面に複数のリード線接続端子１７ａが設けられ、ピンコネクタ本体１６側の複数のピン１９と任意に配線接続（図示せず）されるようになっている。
【００２０】
コネクタ圧入治具１２は、上面が平坦な背壁部１２ｂおよび側壁部１２ｂと、この側壁部１２ｂの相対向する側にそれぞれ縦方向にほぼ等間隔に形成される複数のピンガイド溝部１２ｂ１とを備えている。
【００２１】
次に、ピンコネクタ圧入治具装置１１の作用について図１〜図４を参照して説明する。
【００２２】
図４は、本発明のピンコネクタ圧入治具装置を用いて、回路基板に対してピンコネクタを圧入する工程を示し、（Ａ）は、ピンコネクタ圧入治具をピンコネクタ側へ加圧する前の段階を、（Ｂ）は、ピンコネクタ圧入治具をピンコネクタ側へ加圧する直前の段階を、また、（Ｃ）は、ピンコネクタ圧入治具をピンコネクタ側へ加圧し、圧入が終了した段階のそれぞれの工程を示している。
【００２３】
先ず、マザーボード１８のスルーホール１８ａ上の所要位置に、図１に示すように、ピンコネクタ１５の背壁部１６ｂから下方へ突出するピン１９のピン基部１９ａを仮保持できるように差し込む。
【００２４】
一方、コネクタ圧入治具１２を図４（Ａ）に示すように、複数のピン１９の屈曲部１９ｃのそれぞれの真上位置にコネクタ圧入治具１２のそれぞれのピンガイド溝部１２ｂ１がくるようにコネクタ圧入治具１２を配置する。そして、ピンコネクタ圧入治具１２を図２（Ｂ）に示すように、ピンコネクタ１５側へ加圧する直前の段階までスライド（近接）させる。その際に、ピンコネクタ圧入治具１２の先端部、すなわち側壁部１２ｂのピンガイド溝部１２ｂ１入口にピンコネクタ１５の複数のピン１９のピン基部１９ａが入り込むように位置合わせする。
【００２５】
次に、図２（Ｃ）に示すように、ピンコネクタ圧入治具１２によりピンコネクタ１５側に対して所要の押圧力にて加圧する。この際に、ピンコネクタ１５側に保持されるピン１９の方向がマザーボード１８の上面に対する垂直方向から歪んでいる場合には、ピンコネクタ圧入治具１２の側壁部１２ｂのピンガイド溝部１２ｂ１によりガイドされるようになっている。
【００２６】
すなわち、ピン１９の長手方向をピン１９の鈎部１９ｂを中心にして向きが矯正され、ピン１９の屈曲部１９ｃの向きが、図４（Ｂ）に示す状態から、図４（Ｃ）に示す状態へ移行する。従って、複数のピン１９のピン基部１９ａの向きが、例えば歪んだ方向を指していた場合にでも、ピンガイド溝部１２ｂ１によりその向きが矯正されるので、マザーボード１８の上面に対してほぼ垂直となり、マザーボード１８の複数のスルーホール１８ａに円滑に圧入することができる。
【００２７】
特に、マザーボード１８上にピンコネクタ１５を取付けるにあたり、ピンコネクタ１５のピン１９の長さが比較的長い場合でも、一部のピン１９が屈曲したり、捩れたりすることがないピンコネクタ圧入治具１２を得ることができ、ピンコネクタ圧入治具１２を用いることにより、性能不良のないマザーボード１８を得ることができるピンコネクタ圧入治具装置１１を得ることができる。
【００２８】
またこの結果、複数のピン１９のピン基部１９ａとリード線接続具１７のリード線接続端子１７ａとの電気的接続が無理なく行うことができる。更には、複数のピン１９のピン基部１９ａとリード線接続具１７のリード線接続端子１７ａとの電気的接触不良や損傷することなく接続を行うことができる。
【００２９】
上述したように、ピンコネクタ圧入治具装置１１によれば、マザーボードであるマザーボード１８上にピンコネクタを取付けるにあたり、ピンコネクタのピンの長さが比較的長い場合にでも、一部のピンが屈曲したり、捩れたりすることがなく、結果的に性能不良のない回路基板を得ることができるピンコネクタ圧入治具装置を提供することができる。
【００３０】
次に、上述したピンコネクタ圧入治具を用いたピンコネクタ圧入治具取扱装置２０について、図１〜図４に示すピンコネクタ圧入治具装置１１と同一部分に同一符号を附した図５を参照して説明する。図５は、ピンコネクタ圧入治具装置１１を取扱うピンコネクタ圧入治具取扱装置２０の概要を示す正面図である。
【００３１】
図５に示すピンコネクタ圧入治具取扱装置２０は、ピンコネクタ１５をマザーボード１８のスルーホール１８ａに圧入し得るように設けられるピンコネクタ圧入治具装置１１と、このピンコネクタ圧入治具装置１１を取扱うピンコネクタ圧入治具加圧装置２１とから構成される。ピンコネクタ圧入治具装置１１は、ピンコネクタ圧入治具１２とピンコネクタ１５とから構成される。これらのピンコネクタ圧入治具１２およびピンコネクタ１５それぞれの構成は、図１〜図４に示す構成と同様であるので説明を省略する。
【００３２】
ピンコネクタ圧入治具取扱装置２０は、図５に示すように、ピンコネクタ圧入治具装置設置床面２２上に設けられる装置基台２３と、この装置基台２３上に設置され、マザーボード１８にピン１９を圧入加工するにあたってマザーボード１８がセットされる天板装置２４と、この天板装置２４の上方位置にあって、天板装置２４側、すなわち上下方向にスライド可能に設けられる加圧部、例えば回動可能な加圧軸２８と、この加圧軸２８の下端に設けられ、ピンコネクタ圧入治具１２が取付けられる治具保持用チャック２７とを備えている。なお、加圧軸２８の上部には、この加圧軸２８が回動且つ上下にスライド可能になるように動力部、例えば歯車駆動装置２９が設けられる。
【００３３】
一方、天板装置２４側には、ピン基部用凹陥部２４ａが設けられる。このピン基部用凹陥部２４ａは、ピンコネクタ１５が加圧軸２８によりピンコネクタ圧入治具１２を介して天板装置２４側に押圧されてピンコネクタ１５の複数のピン１９のピン基部１９ａが下方へ移動する際に天板装置２４の底面に当接しないように逃げ空間として設けられる。
【００３４】
治具保持用チャック２７は、チャック支持板２６を介して加圧軸２８側に取付けられる。この治具保持用チャック２７は、ピンコネクタ圧入治具１２を着脱自在に保持する、例えば両側から所要の保持力で保持するチャック面２７ａを有し、加圧軸２８が回動且つ上下にスライドした際にも保持位置がずれないように充分な強度を持って保持される。
【００３５】
また、治具保持用チャック２７は、ピンコネクタ圧入治具１２の幅寸法ｌ（図５参照）の長さ寸法に応じて自在な寸方調整可能手段を設けることができる。この寸方調整可能手段としては、例えばラックとピニオンとによる動力伝達原理を利用した動力装置が用いられる。更に治具保持用チャック２７は、幅寸法ｌのみならず凹凸形状等各種形状にも対応可能なように種々形状のチャック装置を備えることができる。
【００３６】
このチャック装置としては、例えばピンコネクタ圧入治具１２の種々想定される形状に合わせて、予め数種のものを用意して用いることができる。
【００３７】
また、ピンコネクタ圧入治具加圧装置２１の加圧部２８は、動力部２９により任意の回動角が設定できるので、天板装置２４にセットされるマザーボード１８上のピンコネクタ１５の向きに合わせて適正に位置合わせすることができる。
【００３８】
このように、ピンコネクタ圧入治具装置１１を取扱うピンコネクタ圧入治具取扱装置２０によれば、種々のピンコネクタ１５が種々の形状のピンコネクタ圧入治具１２により複数のピン１９に対してほぽ均等な押圧力にて加圧することが可能となり、ピンコネクタ圧入治具１２に設けた複数のピンガイド溝部１２ｂ１にて複数のピン１９の向きが、例えば歪んだ方向を指していた場合にでも、ピンガイド溝部１２ｂ１によりその向きが矯正される。従って、マザーボード１８の上面に対してほぼ垂直となり、マザーボード１８の複数のスルーホール１８ａに円滑に圧入することができる。
【００３９】
また、ピンコネクタ圧入治具装置を取扱うピンコネクタ圧入治具取扱装置２０によれば、ピンコネクタ１５の個々に対してピンコネクタ圧入治具１２が用いるにあたって、複数のピンコネクタ１５のマザーボード１８に対する取付け状態にバラツキが生じることがなく、結果的に性能不良のない回路基板を得ることができる。特に、マザーボード１８上にピンコネクタ１５を取付けるにあたり、ピンコネクタ１５のピン１９の長さが比較的長い場合にでも、一部のピン１９が屈曲したり、捩れたりすることがないピンコネクタ圧入治具１２を得ること。また、ピンコネクタ圧入治具１２を用いることにより、性能不良のないマザーボード１８を得ることができるピンコネクタ圧入治具取扱装置２０を得ることができる。
【００４０】
更には、この結果、複数のピン１９のピン基部１９ａとリード線接続具１７のリード線接続端子１７ａとの電気的接触不良や損傷することなく接続を行うことができる。
【００４１】
なお、ピンコネクタ圧入治具装置１１のピンコネクタ圧入治具１２によるピンコネクタ１５に対する押圧力が、ピンコネクタ圧入治具１２の背壁裏面１２ａ１により、ピンコネクタ本体１６に設けられるリード線接続具１７に対して加圧作用させる構成にしたが、必ずしもこの構成に限られず、コネクタ圧入治具１２によりピンコネクタ本体１６を直接に押圧可能な構成にすることもできる。
【００４２】
すなわち、コネクタ圧入治具１２の側壁部１２ｂにより、ピンコネクタ１５の側壁部１６ｂが押圧可能な構成にすることにより、ピンコネクタ１５の複数のピン１９がマザーボード１８のスルーホール１８ａに圧入されるようにしてもよい。
【図面の簡単な説明】
【００４３】
【図１】本発明のピンコネクタ圧入治具装置の概要を示す斜視図。
【図２】本発明のピンコネクタ圧入治具装置のピンコネクタ圧入治具がピンコネクタ側に嵌め込まれた状態において、一部を縦断して示す側面図。
【図３】図２のＡ−Ａ線に沿う断面図。
【図４】本発明のピンコネクタ圧入治具装置を用いて、回路基板に対してピンコネクタを圧入する工程を示し、（Ａ）は、ピンコネクタ圧入治具をピンコネクタ側へ加圧する前の段階を、（Ｂ）は、ピンコネクタ圧入治具をピンコネクタ側へ加圧する直前の段階を、また、（Ｃ）は、ピンコネクタ圧入治具をピンコネクタ側へ加圧し、圧入が終了した段階のそれぞれの工程を示す図。
【図５】本発明のピンコネクタ圧入治具装置を取扱うピンコネクタ圧入治具取扱装置の概要を示す正面図。
【図６】従来のピンコネクタ圧入治具装置を取扱うピンコネクタ圧入治具取扱装置の一部を切欠して示す斜視図。
【符号の説明】
【００４４】
１１  ピンコネクタ圧入治具装置
１２  ピンコネクタ圧入治具
１２ａ、１６ａ  背壁部
１２ａ１  背壁裏面
１２ｂ、１６ｂ  側壁部
１２ｂ１  ピンガイド溝部
１５  ピンコネクタ
１６  ピンコネクタ本体
１６ｂ１  側壁内面
１７  リード線接続具
１７ａ  リード線接続端子
１８  回路基板（マザーボード）
１８ａ  スルーホール
１９  ピン
１９ａ  ピン基部
１９ｂ  鈎部
１９ｃ  屈曲部
２０  ピンコネクタ圧入治具取扱装置
２１  ピンコネクタ圧入治具加圧装置
２２  ピンコネクタ圧入治具装置設置床面
２３  装置基台
２４  天板装置
２４ａ  ピン基部用凹陥部
２６  チャック支持板
２７  治具保持用チャック
２７ａ  チャック面
２８  加圧部（加圧軸）
２９  動力部（歯車駆動装置）
ｌ  チャック幅
【図１】
2008103445.tif 000003
【図２】
2008103445.tif 000004
【図３】
2008103445.tif 000005
【図４】
2008103445.tif 000006
【図５】
2008103445.tif 000007
【図６】
2008103445.tif 000008